(57)【要約】      （修正有）【課題】装飾板材間に露出される結合部の幅を最小化して美感を高めるためのエレベータ壁面装飾板材の固定装置を提供する。【解決手段】底部１２から上方に延びる垂直壁１４、垂直壁１４の上端部から水平に延び、底部との間に第１溝１５を形成し、装飾板材１が固定される第１支持部１６を含む雌フレーム１０、雌フレーム１０の第１溝１５に嵌合され、第１溝１５の内側端部に一致する形状の突出顎２１が一端部に形成された細長い四角板状の結合部２２、結合部に連結された垂直壁２４、垂直壁２４の一端部から垂直壁の両側に水平に延びて結合部２２との間に第２溝２５を形成し、上面に雄フレーム２０、及び雄フレーム２０の第２溝２５に結合される細長い四角板状の係止顎３２、係止顎３２の一端部から直角に延びる垂直壁３４、垂直壁３４の垂直壁の全長に沿って水平に形成され装飾板材を各々支持し外部に露出されるサポート３６を含むトリム３０を含む。【選択図】図６
2018115079.tif 000002
【特許請求の範囲】
【請求項１】
ネジ等の締結具や接着剤によって壁面に付着して固定される細長い四角板状の底部、前記底部の全長にわたって前記底部から上方に延びる垂直壁、及び、前記垂直壁の全長にわたって前記垂直壁の上端部から水平に延び、底部との間に第１溝を形成し、上面には締結具や接着剤によって装飾板材が固定される細長い四角板状の第１支持部を含む雌フレーム、
前記雌フレームの第１溝に嵌合され、前記第１溝の内側端部に一致する形状の突出顎が一端部に形成された細長い四角板状の結合部、前記結合部の他端部に連結された垂直壁、及び前記垂直壁の一端部から垂直壁の両側に水平に延びて結合部との間に第２溝を形成し、上面に締結具や接着剤によって他の装飾板材が固定される細長い四角板状の第２支持部を含む雄フレーム、
前記雄フレームの第２溝に結合される細長い四角板状の係止顎、及び前記係止顎の一端部から直角に延びる垂直壁を備えたトリム、
エレベータの隅部の壁面に設けられ、断面がジグザグ形態の隅用の雄フレーム、
前記隅用の雄フレームに嵌合され、装飾板材を支持し、断面が横になったＵ形状の隅用の雌フレーム、及び、
前記隅用の雌フレームに結合されて装飾板材の縁部をカバーし、断面が逆「コ」字形状または逆「Ｌ」字形状の仕上げカバーを含むことを特徴とするエレベータ壁面装飾板材の固定装置。
【請求項２】
前記トリム垂直壁の一端部の両側に突出するように垂直壁の全長に沿って水平に形成され、両側に装飾板材を各々支持し、且つ、外部に露出されるサポートをさらに含むことを特徴とする、請求項１に記載のエレベータ壁面装飾板材の固定装置。
【請求項３】
前記トリムの垂直壁の一側や両側に溝が形成され、該溝に装飾板の縁部が嵌められることを特徴とする、請求項２に記載のエレベータ壁面装飾板材の固定装置。
【発明の詳細な説明】
【技術分野】
【０００１】
本発明は、エレベータ壁面装飾板材の固定装置に関し、具体的には、装飾板材間に露出される結合部の幅を最小化して美感を高め、資材の量を減らして原価を節減するためのエレベータ壁面装飾板材の固定装置に関する。
【背景技術】
【０００２】
本出願人の韓国登録実用新案第２６８１９９号公報及び韓国登録実用新案第３００３５３号公報は、雄雌フレームを互いに嵌合してエレベータの装飾板材を容易に設置するための装置である。
【０００３】
図１はこのような装置を用いて装飾板材が設置された状態を示すエレベータ内部の斜視図であり、図２は装飾板材がどのように結合されるのかを示す断面図である。
【０００４】
図示されたように、２個の装飾板材１の間には結合装置の雄雌フレームが結合され、２個の露出部４が２列で露出される。このように２列で露出されれば、装飾板材間の露出部の幅が大きいため、装飾板材を設置した目的である審美的な外観を大きく害するようになる。また、結合のための部品数が多いという問題がある。
【０００５】
審美的な外観を改善しようとすれば、装飾板材間の間隔、すなわち、露出部の幅をできるだけ小さくすることが好ましい。
【先行技術文献】
【特許文献】
【０００６】
【特許文献１】韓国登録実用新案第２６８１９９号公報
【特許文献２】韓国登録実用新案第３００３５３号公報
【発明の概要】
【発明が解決しようとする課題】
【０００７】
本発明は、従来のこのような問題点を考慮して導き出されたものであり、従来に比べて装飾板材間の露出部の幅をできるだけ減らして、装飾板材の目的である審美的な外観を高める一方、資材の量を減らして原価を節減することを目的とする。
【課題を解決するための手段】
【０００８】
本発明は、このような目的を達成するために、ネジ等の締結具や接着剤によって壁面に付着して固定される細長い四角板状の底部１２、底部の全長にわたって前記底部１２から上方に延びる垂直壁１４、及び、垂直壁の全長にわたって前記垂直壁１４の上端部から水平に延び、底部との間に第１溝１５を形成し、上面には締結具や接着剤３によって装飾板材１が固定される細長い四角板状の第１支持部１６を含む雌フレーム１０、
前記雌フレーム１０の第１溝１５に嵌合され、第１溝１５の内側端部に一致する形状の突出顎２１が一端部に形成された細長い四角板状の結合部２２、前記結合部の他端部に連結された垂直壁２４、及び、前記垂直壁２４の一端部から垂直壁の両側に水平に延びて結合部２２との間に第２溝２５を形成し、上面に締結具や接着剤によって他の装飾板材が固定される細長い四角板状の第２支持部２６を含む雄フレーム２０、及び、
前記雄フレーム２０の第２溝２５に結合される細長い四角板状の係止顎３２、及び、前記係止顎３２の一端部から直角に延びる垂直壁３４を備えたトリム３０を含むエレベータ壁面装飾板材の固定装置を提供する。
【０００９】
この場合、トリム３０の垂直壁３４の一端部の両側に突出するように垂直壁の全長に沿って水平に形成され、両側に装飾板材を各々支持し、且つ、外部に露出されるサポート３６をさらに形成してもよい。
【００１０】
本発明に係るエレベータ壁面装飾板材の固定装置は、エレベータの隅部に壁面に設けられ、断面がジグザグ形態の隅用の雄フレーム４０、前記隅用の雄フレーム４０に嵌合され、装飾板材を支持し、断面が横になったＵ形状の隅用の雌フレーム５０、及び前記隅用の雌フレーム５０に結合され、装飾板材の縁部をカバーし、断面が逆「コ」字形状または逆「Ｌ」字形状の仕上げカバー６０をさらに含んでもよい。
【００１１】
また、本発明において、トリム３０の垂直壁３４の一側や両側に溝が形成され、この溝に装飾板の縁部を嵌めてもよい。
【発明の効果】
【００１２】
このように構成された本発明によれば、装飾板材間の露出部を２列から１列に減らして幅をできるだけ小さくして装飾板材の審美的な外観を大幅に改善することができ、投入される資材の量を減らして原価を節減することができる。
【図面の簡単な説明】
【００１３】
【図１】従来の装置を用いて装飾板材が設置された状態を示すエレベータ内部の斜視図である。
【図２】図１の装飾板材がどのように結合されるのかを示す断面図である。
【図３】本発明の結合装置を用いて装飾板材が結合された状態のエレベータ内部を示す斜視図である。
【図４】図３のＩＶ−ＩＶ線断面図である。
【図５】図３のＶ−Ｖ線断面図である。
【図６】図４の丸部分を拡大して結合関係を示す断面図である。
【図７】図５の左側隅部の分離断面図である。
【図８】トリムの変形例を示す断面図である。
【図９】トリムの他の変形例を示す断面図である。
【発明を実施するための形態】
【００１４】
図３は本発明の結合装置を用いて装飾板材１が結合された状態のエレベータ内部を示す斜視図であり、図４は図３のＩＶ−ＩＶ線断面図であり、図５は図３のＶ−Ｖ線断面図であり、図６は図４の丸部分を拡大して結合関係を示す断面図である。
【００１５】
後ほど詳しく説明するが、本発明によれば、図３に示すように、装飾板材１間の結合装置の露出部が１列に形成されて露出部の幅が最小化されるため、装飾板材による審美感を最大限に高めることができる。
【００１６】
図６に示すように、本発明の装飾板材結合装置は、大きく３つの部分、すなわち、雌フレーム１０、雄フレーム２０及びトリム３０からなる。
【００１７】
雌フレーム１０は、ネジ等の締結具や接着剤によって壁面に付着して固定される細長い四角板状の底部１２、底部の全長にわたって底部１２から上方に延びる垂直壁１４、及び、垂直壁の全長にわたって垂直壁１４の上端部から水平に延び、底部との間に第１溝１５を形成し、上面には締結具や接着剤３によって装飾板材１が固定される細長い四角板状の第１支持部１６を含む。
【００１８】
雄フレーム２０は雌フレーム１０に結合される要素である。雄フレームは、雌フレーム１０の溝１５に嵌合され、溝１５の内側端部に一致する形状の突出顎２１が一端部に形成された細長い四角板状の結合部２２、結合部の他端部に連結された垂直壁２４、及び垂直壁２４の一端部から垂直壁の両側に水平に延びて結合部２２との間に第２溝２５を形成し、上面に締結具や接着剤によって他の装飾板材が固定される細長い四角板状の第２支持部２６を含む。
【００１９】
トリム３０は装飾板材１を両側に嵌合して雄フレーム２０に固定される要素である。トリム３０は、雄フレーム２０の第２溝２５に結合される細長い四角板状の係止顎３２、係止顎３２の一端部から直角に延びる垂直壁３４、及び垂直壁３４の一端部の両側に突出するように垂直壁の全長に沿って水平に形成され、両側に装飾板材を各々支持し、且つ、外部に露出されるサポート３６を含む。
【００２０】
トリム３０の係止顎３２を雄フレーム２０の第２溝２５に嵌め、一側のサポート３６に装飾板材１を嵌めた状態で矢印（Ａ）方向に雄フレーム２０を雌フレーム１０に結合し、この時、反対側の装飾板材１をトリム３０の反対側のサポート３６に結合すれば、図３の中間部分のような結合状態となる。
【００２１】
図７は、図５の左側隅部の分離断面図である。
【００２２】
この部分はエレベータの隅部に壁面に設けられる部分であって、隅用の雄フレーム４０と雌フレーム５０と仕上げカバー６０とからなる。
【００２３】
隅用の雄フレーム４０は断面がジグザグ形態の細長い板状の要素である。ジグザグ形態であるため、両側の上下に結合用溝が形成される。
【００２４】
隅用の雌フレーム５０は、隅用の雄フレーム４０に、具体的には、隅用の雄フレーム４０と壁面との間の溝に結合され、隅用の雄フレーム４０の突出部は、隅用の雌フレーム５０の溝に嵌合される。隅用の雌フレーム５０は、装飾板材を支持するものであり、断面は横になったＵ形状である。
【００２５】
仕上げカバー６０は、隅用の雌フレーム５０に結合されて装飾板材の縁部をカバーし、断面が逆「コ」字形状である。３要素を矢印で表示された方向通りに結合すれば図５の左側部分のような結合状態となる。一方、仕上げカバー６０の形状を逆「Ｌ」字形状にしてもよい。この場合、外部に露出される部分の幅をさらに減らすことができる。
【００２６】
図８はトリム３０の変形例を示す断面図である。装飾板材１の縁部が図８に示すように雄フレーム２０の縁部より突出してもよく、このような突出状況をカバーするためにトリム３０の垂直壁３４の一側や両側に溝を形成する。そして、この溝に装飾板の突出した縁部を矢印方向に嵌めて結合することができる。
【００２７】
図９はトリム３０の他の変形例を示す断面図である。図示されたように、トリム３０において、前述したサポート３６を無くしてもよい。この場合、装飾板材間に露出される露出部の幅がさらに減る効果があり、美感をさらに高めることができる。
【図１】
2018115079.tif 000003
【図２】
2018115079.tif 000004
【図３】
2018115079.tif 000005
【図４】
2018115079.tif 000006
【図５】
2018115079.tif 000007
【図６】
2018115079.tif 000008
【図７】
2018115079.tif 000009
【図８】
2018115079.tif 000010
【図９】
2018115079.tif 000011